(57)【要約】【課題】ディスプレイを観察した場合に表示された画像が奥まって遠くに見える現象を改善する。【解決手段】ディスプレイは画像が表示される画像表示部１１と、画像表示部１１の周縁に設けられた額縁部１２とを有している。このディスプレイが収納される前面カバー３０は、前記額縁部１２を覆い隠し、かつ画像表示部１１を露出する開口部３１を有している。【選択図】    図２
2004214967.tif 000002
【特許請求の範囲】
【請求項１】
光透過性の画像表示部とこの画像表示部の周辺部に設けられた額縁状の光非透過部とを有するディスプレイと、
前記ディスプレイが内面に取り付けられ前面部に開口部を有し、前記開口部から前記画像表示部を露出させるように前記画像表示部の周縁を覆うカバーとを備え、
前記カバーで前記ディスプレイを覆ったとき、前記開口部から前記光非透過部が見えないように前記開口部の寸法を設定したことを特徴とする画像表示装置。
【請求項２】
前記ディスプレイは、陰極線管にてなることを特徴とする請求項１記載の画像表示装置。
【請求項３】
前面部内面に蛍光体が塗布されて形成された画像表示部と、この画像表示部の周辺部内面に設けられた額縁状の光非透過部とを有する陰極線管と、
前記陰極線管が内面に取り付けられ、前面部に開口部を有し、前記開口部から前記画像表示部を露出させるように前記陰極線管の外周縁を覆う前面カバーとを備え、
前記前面カバーで前記陰極線管を覆ったとき、前記開口部から前記光非透過部が見えないように前記開口部の寸法を設定したことを特徴とする画像表示装置。
【発明の詳細な説明】
【０００１】
【発明の属する技術分野】
本発明は、画像表示装置に関する。
【０００２】
【従来の技術】
陰極線管、液晶パネル、プラズマディスプレイパネル等のディスプレイを用いた画像表示装置では、画面の見易さ、画面の品位を向上させる技術が商業上の成功を収める上で重要である。また最近では陰極線管の表示面がフラット化され、画面品位を高める上で貢献している。
【０００３】
このような画像表示装置、例えばカラーテレビジョン受像機では、キャビネット前面枠に開口部を形成し、陰極線管を前面枠の背面側にとりつけ、前記開口部から陰極線管の画面表示部が露出するようにしている。
【０００４】
一般的に陰極線管では、前面ガラスの内面に蛍光体が塗布されており、この蛍光体に電子ビームを照射することで、Ｒ，Ｇ，Ｂ光を発し、映像を表示するようにしている。また前面ガラス内面の映像表示面（蛍光体塗布面）の周辺には不要な光が漏れないように黒色塗装を施している。この黒色塗装部は額縁状に設けられており、キャビネットの外側から陰極線管を見た場合、前面枠の開口部から前記額縁部分が見えるようになっている。
【０００５】
尚、陰極線管内の蛍光体と対向する位置にはシャドウマスクが設けられており、シャドウマスクを通過した電子ビームがＲ，Ｇ，Ｂの蛍光体に照射されるようにしている。また、陰極線管内の散乱光は前述した額縁部分に吸収され、表示面の周りは発光せず、表示面の周りから光が漏れないようにしている。
【０００６】
また、カラーテレビジョン受像機では、インチ数によってその大きさが表されているが、インチ数は、画像表示部（前記額縁部分によって囲まれる矩形部分）の対角線の長さに等しい。
【０００７】
また、特許文献１には、陰極線管の表示画面側に、画面を露出させる開口が形成されたマスクを精度良く取り付ける技術が開示されており、陰極線管とマスクの間に隙間が形成されることを防止し、画面周りの品位を高める例が記載されている。
【０００８】
しかしながら、このような画像表示装置にあっては、前述した額縁部分が前面枠の開口部から見えるようになっているため、画像が前面枠から奥まった位置に見え、臨場感を欠いたり、フラット画面の品位を低下させたりしていた。また陰極線管のガラス部分は約１０ｍｍ程度の厚さを有しており、斜めから表示画像を観察すると、画像が遠くに見える現象がより顕著に現われていた。
【０００９】
【特許文献１】
特開２００２−１９９３０９号公報
【００１０】
【発明が解決しようとする課題】
従来の画像表示装置では、観察者により観察される画像は、額縁部分により囲まれた領域に表示されるため、実際よりも奥まった位置に画像があるように見えるという不具合があった。
【００１１】
本発明の目的は、観察される画像が遠くに見えることがなく、高品位な画像が観察できる画像表示装置を提供することにある。
【００１２】
【課題を解決するための手段】
上記目的を達成するために、本発明の請求項１に係わる画像表示装置は、光透過性の画像表示部とこの画像表示部の周辺部に設けられた額縁状の光非透過部とを有するディスプレイと、前記ディスプレイが内面に取り付けられ前面部に開口部を有し、前記開口部から前記画像表示部を露出させるように前記画像表示部の周縁を覆うカバーとを備え、前記カバーで前記ディスプレイを覆ったとき、前記開口部から前記光非透過部が見えないように前記開口部の寸法を設定したことを特徴とする。
【００１３】
本発明の請求項３に係わる画像表示装置は、前面部内面に蛍光体が塗布されて形成された画像表示部と、この画像表示部の周辺部内面に設けられた額縁状の光非透過部とを有する陰極線管と；前記陰極線管が内面に取り付けられ、前面部に開口部を有し、前記開口部から前記画像表示部を露出させるように前記陰極線管の外周縁を覆う前面カバーとを備え；前記前面カバーで前記陰極線管を覆ったとき、前記開口部から前記光非透過部が見えないように前記開口部の寸法を設定したことを特徴とする。
【００１４】
上記、本発明によれば、前記光非透過部が前面カバーによって隠されるため、画像表示部に表示された画像が奥まって見えることがない。
【００１５】
【発明の実施の形態】
以下、図１〜図３を参照して、本発明の実施の形態に係わる画像表示装置を説明する。尚、本発明の画像表示装置としては、ディスプレイとして陰極線管を使用したカラーテレビジョン受像機を例にして説明する。
【００１６】
図１は、カラーテレビジョン受像機の前面カバーと陰極線管を分解して示す背面斜視図であり、図２は、前面カバーと陰極線管を組み立てた状態を示す断面図である。
【００１７】
図１、図２に示すように、陰極線管１は、ガラスで構成された外囲器２を有し、前面ガラス内面に蛍光体３を塗布し、外囲器２のネック部に配置された電子銃４からの電子ビームを、シャドウマスク５を介して蛍光体３に照射するようにしている。尚、陰極線管１のネック部外周には偏向ヨーク２０が取り付けられており、電子ビームの偏向走査を行うようにしている。
【００１８】
前記蛍光体３はＲ，Ｇ，Ｂの蛍光体と、それら蛍光体間に設けられるブラックストライプとを含み、これら蛍光体３で形成される部分を画像表示部１１とし、この画像表示部１１の周縁部における前面ガラス内面には黒色塗装による額縁部１２を有し、上記画像表示部１１と額縁部１２が陰極線管の前面部に形成されている。
【００１９】
また、３０はカラーテレビジョン受像機の前面カバーであり、その前面部には開口部３１が設けられている。また、前面カバー３０の内部には、開口部３１の周辺部に突起状のリブ３２が設けられ、陰極線管１の外周四隅に設けたラグ６を前記リブ３２にネジなどで取り付けることにより、前面カバー３０内に陰極線管１を固定するようにしている。
【００２０】
図３は前面カバー３０に陰極線管１を取り付けたときの正面図である。図３から分かるように、本実施の形態では、前面カバーの開口部３１は、陰極線管１の画像表示部１１周辺を覆うようにカバーし、額縁部１２が開口部３１から露出しないような寸法を有している。
【００２１】
尚、この実施形態の場合、カラーテレビジョン受像機のインチ数は、開口部３１の対角線の寸法ｄによって表されることになる。
【００２２】
図２の断面図において、画像表示部１１の寸法をＬ１とし、前面カバー３０の開口部３１の寸法をＬ２とすると、Ｌ１＞Ｌ２の関係が成り立つ。
【００２３】
したがって、図２、図３からも分かるように、視聴者が正面からカラーテレビジョン受像機を見た場合、開口部３１越しに画像表示部１１が観察され、額縁部１２は完全に隠されているため、表示された画像が奥まって見える現象を防止できる。
【００２４】
また図２の矢印Ａで示すような斜め方向から画像を見た場合でも、前面カバー３０により額縁部１２は覆い隠されているため、額縁部１２は観察されない。尚、前面カバー３０の厚さ寸法は、陰極線管１の前面ガラスの板厚等屈折率などを考慮して決められ、額縁部１２が外から見えないようにしている。
【００２５】
以上述べたように、本発明では、陰極線管の前面部周辺に形成される額縁部が、視聴者からは見えないため、表示画像が奥まって見えるという現象を無くすことができ、特にフラット画面においてはこの効果を高めることができる。
【００２６】
尚、以上の実施の形態では、ディスプレイとして陰極線管を例に説明したが、液晶パネルやプラズマディスプレイパネル等にも適用することができる。即ち、これら液晶パネルやプラズマディスプレイパネルの場合も、ディスプレイ周辺部には枠状の縁が設けられるため、この縁を前面カバーで隠すように覆うことにより、表示画像が奥まって見えるという現象を無くすことができる。
【００２７】
尚、本発明は上述した実施の形態に限定されるものではなく、発明の趣旨を逸脱しない範囲内において種々の変形や応用が可能であることは勿論である。
【００２８】
【発明の効果】
本発明による画像表示装置によれば、表示される画像が奥まって見えることがないため、特にフラットタイプの表示装置における品位を高めることができる。
【図面の簡単な説明】
【図１】本発明の実施の形態に係わる画像表示装置の構成の一部を示す分解斜視図。
【図２】本発明の実施の形態に係わる画像表示装置の断面図。
【図３】本発明の実施の形態に係わる画像表示装置の正面図。
【符号の説明】
１…陰極線管
１１…画像表示部、１２…額縁部
３０…前面カバー、３１…開口部
【図１】
2004214967.tif 000003
【図２】
2004214967.tif 000004
【図３】
2004214967.tif 000005